(57)【要約】【課題】  ろ板を移動させる際に、摺動部に潤滑水を噴射するフィルタープレスにおけるろ板の潤滑方法並びに潤滑装置を提供する。【解決手段】  順次開板式フィルタープレスにおいて、潤滑水を噴射するノズル３４をろ板４の開板装置１４を設けたキャリア１１に配設し、キャリア１１の作動に連動させてノズル３４からサイドレール３の摺動部材４０ｂに潤滑水を噴射させるもので、必要時に最小限の潤滑水を供給し、さらに潤滑剤が水であるため、外部への油脂の飛散がなくなり、環境負荷を低減できる。また、分解やメンテナンス時に取扱いが容易である。【選択図】      図６
2012130846.tif 000002
【特許請求の範囲】
【請求項１】
一対のサイドレール（３，３）の摺動部材（４０ｂ，４０ｂ）に多数のろ板（４…）を並列し、サイドレール（３，３）に沿って吊設した牽引チェーン（９，９）に開板装置（１４，１４）を設けたキャリア（１１）を連結して、開板装置（１４，１４）で１枚ずつろ板（４）を開板させる順次開板式フィルタープレスにおいて、
潤滑水を噴射するノズル（３４）をキャリア（１１）に配設し、サイドレール（３）の摺動部材（４０ｂ）に開板装置（１４）に連動させて、ろ板（４）の開板時に潤滑水を噴射させる
ことを特徴とするフィルタープレスにおけるろ板の潤滑方法。
【請求項２】
上記牽引チェーン（９，９）を作動させるブレーキ付可逆モーター（１２）がろ板（４）を開板方向に作動している時に、摺動部材（４０ｂ）に潤滑水を噴射させる
ことを特徴とする請求項１に記載のフィルタープレスにおけるろ板の潤滑方法。
【請求項３】
一対のサイドレール（３，３）の摺動部材（４０ｂ，４０ｂ）に多数のろ板（４…）を並列し、サイドレール（３，３）に沿って吊設した牽引チェーン（９，９）に開板装置（１４，１４）を設けたキャリア（１１）を連結して、ブレーキ付可逆モーター（１２）で牽引チェーン（９，９）を作動させ、開板装置（１４，１４）で１枚ずつろ板（４）を開板させる順次開板式フィルタープレスにおいて、
潤滑水を噴射するノズル（３４）をキャリア（１１）に配設し、キャリア（１１）がろ板（４）の閉板側に移動したことを検知する検知装置（ＬＰ２）と、
ノズル（３４）から潤滑水を噴射させる制御装置（４２）を配設した
ことを特徴とするフィルタープレスにおけるろ板の潤滑装置。
【請求項４】
上記開板装置（１４）を開板爪（２０）と押し爪（２４）で構成し、押し爪（２４）がろ板（４）に当接したときに、検知装置（ＬＰ２）で検知する
ことを特徴とする請求項３に記載のフィルタープレスにおけるろ板の潤滑装置。
【発明の詳細な説明】
【技術分野】
【０００１】
本発明は、サイドレール上に多数並列したろ板を順次移動させるフィルタープレスにおけるろ板の潤滑方法並びに潤滑装置に関する。
【背景技術】
【０００２】
従来、多数並列したろ板を一枚ずつ、あるいは複数枚ずつ開板してケーキを剥離する順次開板型のフィルタープレスは周知である。
そして、ろ板にスライド部材を配設し、サイドバー上を摺動自在に移動して開閉板を行うフィルタープレスは、例えば特許文献１に開示されているように公知である。
また、正逆転可能な電動機を配設した二対のチェーンに係止爪具を連結し、交互にろ板を開板させるろ板の開板装置も、例えば特許文献２に開示されているように公知である。
【先行技術文献】
【特許文献】
【０００３】
【特許文献１】特開平８−２８１０１５号公報
【特許文献２】実開昭５７−４２４８９号公報
【発明の概要】
【発明が解決しようとする課題】
【０００４】
サイドバーに載置したろ板をスムーズに移動させるには、摩擦軽減部材で摺動部を構成するか、あるいは摺動部に摩擦抵抗を軽減させるための潤滑剤を注油する必要がある。
摩擦軽減部材で摺動部を構成すれば、ろ板が軽い小型のフィルタープレスには適用できる可能性があるが、ろ板が重い大型のフィルタープレスには強度と低摩擦性という２つの機能が必要となりコストがかかる。また、フィルタープレスが稼動する現場雰囲気により発生した異物が摺動部に付着する等により、ろ板がスムーズに移動しないという課題がある。
また、摺動部にオイルやグリース等の油脂を使用すれば、現場雰囲気により発生する異物は付着し難いが、取扱い時に油脂が飛散し、環境負荷が増大する。定期的に購入して摺動部に塗布する必要があるのでコストと手間もかかる。
【０００５】
本発明は、サイドレール上に多数並列したろ板を移動させるために、摺動部に潤滑剤として水を使用するフィルタープレスにおけるろ板の潤滑方法並びに潤滑装置を提供する。
【課題を解決するための手段】
【０００６】
本発明のフィルタープレスにおけるろ板の潤滑方法は、一対のサイドレールの摺動部材に多数のろ板を並列し、サイドレールに沿って吊設した牽引チェーンに開板装置を設けたキャリアを連結して、開板装置で１枚ずつろ板を開板させる順次開板式フィルタープレスにおいて、潤滑水を噴射するノズルをキャリアに配設し、サイドレールの摺動部材に開板装置に連動させて、ろ板の開板時に潤滑水を噴射させるので、環境負荷を増大させることなく、産業機器の摺動部を円滑に潤滑させることができる。
また、牽引チェーンを作動させるブレーキ付可逆モーターがろ板を開板方向に作動している時に、摺動部材に潤滑水を噴射させるので、潤滑水を必要最小限の使用量で摺動させることができる。
【０００７】
本発明のフィルタープレスにおけるろ板の潤滑方法は、一対のサイドレールの摺動部材に多数のろ板を並列し、サイドレールに沿って吊設した牽引チェーンに開板装置を設けたキャリアを連結して、ブレーキ付可逆モーターで牽引チェーンを作動させ、開板装置で１枚ずつろ板を開板させる順次開板式フィルタープレスにおいて、潤滑水を噴射するノズルをキャリアに配設し、キャリアがろ板の閉板側に移動したことを検知する検知装置と、ノズルから潤滑水を噴射させる制御装置を配設したので、各部品の作動を検知して必要時に潤滑水を摺動部に供給できる。
また、開板装置を開板爪と押し爪で構成し、押し爪がろ板に当接したときに、検知装置で検知すると、ろ板が開板する際の始動時期が容易に判明する。
【発明の効果】
【０００８】
本発明に係るフィルタープレスにおけるろ板の潤滑方法は、上記のように構成してあり、ろ板の開板時にろ板が移動する側のみ潤滑水を噴射するので、最小限の噴射量でよい。また、潤滑剤が水であるため、外部への油脂の飛散がなくなり、環境負荷を低減できる。分解やメンテナンス時に取扱いが容易である。
【図面の簡単な説明】
【０００９】
【図１】本発明に係るろ板の潤滑装置を有するフィルタープレスの概略側面図である。
【図２】同じく、フィルタープレスの概略平面図である。
【図３】同じく、ろ板の正面図である。
【図４】同じく、開板装置の側面図である。
【図５】同じく、開板装置の平面図である。
【図６】同じく、ろ板と開板装置の要部正面図である。
【発明を実施するための形態】
【００１０】
本発明に係るフィルタープレスのろ板の潤滑方法及び潤滑装置を図面に基づき詳述すると、先ず、図１はこの発明に係るフィルタープレスの側面図であって、前後のフロントフレ―ム１とリアーフレーム２に一対のサイドレール３、３を橋架している。このサイドレール３、３に多数のろ板４…を摺動自在に支架している。リアーフレーム２とろ板４の間にムーバブルヘッド５を配設して、リアーフレーム２に配設した締付シリンダー６にムーバブルヘッド５を連結している。順次開板してケーキ剥離が終了した多数のろ板４…を、締付シリンダー６を作動してムーバブルヘッド５をフロントフレーム１側に移動させ、ろ板４…を閉板させる。なお、並列するろ板４…は、ろ板とダイアフラム板を交互に並列してもよいものである。サイドレール３の前後部に駆動スプロケット７と従動スプロケット８が軸支してあり、無端状の牽引チェーン９を掛け回している。サイドレール３にチェーンガイド１０が配設してあり、牽引チェーン９の両端部に連結したキャリア１１を摺接支架させている。
【００１１】
図２はフィルタープレスの平面図であって、フロントフレーム１にブレーキ付可逆モーター１２が支架してあり、牽引チェーン９を掛け回した駆動スプロケット７に連動連結している。ブレーキ付可逆モーター１２はろ板４の開板時にブレーキを解除してキャリア１１を移動させ、ケーキ排出及び洗浄時にブレーキを掛けてろ板４を固定する。最終ろ板４の開板が終了した後、ブレーキを解除してキャリア１１を元の位置に戻しブレーキを掛ける。牽引チェーン９に連結したキャリア１１は、サイドレール３に支架したろ板４のろ板アーム１３の下方に配設している。
【００１２】
図３はろ板の正面図であって、ろ板４の側面にろ板アーム１３を突設し、ろ板アーム１３をサイドレール３に摺動自在に載置している。ろ板アーム１３とサイドレール３の摺動部には、それぞれ摺動部材４０ａ，４０ｂとが配設されている。
【００１３】
図４及び図５は開板装置の側面図と平面図であって、チェーンガイド１０上に転輪１５を設けたキャリア１１を移動自在に配設している。キャリア１１には開板装置１４を構成する取付台１７を着脱自在に配設している。取付台１７に立設した一対の架台１８，１８に支持杆１９を横架して、開板爪２０が回動自在に支架している。開板爪２０のリアーフレーム２側の先端部に設けたピン２１と架台１８のフロントフレーム１側に設けたピン２２にスプリング２３が吊設してあり、常態においては開板爪２０の先端部を立ち上げて、ろ板４のろ板アーム１３に当接させるようにしている。
一方、開板爪２０に対設した押し爪２４が、一対の架台２５，２５に横架した支持杆２６に回動自在に支架している。押し爪２４のリアーフレーム２側の後端部に設けたピン２８と架台２５のフロントフレーム１側に設けたピン２７にスプリング２９を吊設してあり、常態においては押し爪２４の先端部を立ち上げて、開板するろ板４の倒れを防止するようにしている。なお、符号３０、３１、３２は、開板爪２０と押し爪２４の回動を規制する支持ピンである。
開板装置１４の開板爪２０と押し爪２４でろ板４のろ板アーム１３を挟持して、リアーフレーム２側に移送できるようにしている。
【００１４】
図６は潤滑装置の要部拡大図であって、キャリア１１の外側にはカバー３３を立設している。このカバー３３の上方には、スライドレール３の摺動部材４０ｂに潤滑水を供給するためのノズル３４が配設されてあり、カバー３３を介して潤滑水管３５と連結されている。潤滑水管３５は可撓性を有し、キャリア１１の移動に追随することができる。また、カバー３３やノズル３４はキャリア１１が移動してもろ板アーム１３等に接触しない位置に配設している。
潤滑水管３５は圧力発生装置３７を介して水道管等の水源（図示せず）と連通しており、圧力発生装置３７とノズル３４の間には弁３６を配設している。
なお、水で潤滑させる摺動部材４０ａ，４０ｂは錆の発生が起こり難い材質を使用するとともに、周辺の部品も防錆剤等の被膜を形成させている。
【実施例】
【００１５】
フィルタープレスのケーキ排出のためのろ板４の開板は、締付シリンダー６の引き動作から開始する。先ず、ブレーキ付可逆モーター１２に連動連結した牽引チェーン９を回動し、キャリア１１をリアーフレーム２側に位置させる。
このとき、リアーフレーム２近傍のサイドレール３に配設している案内板３９により、開板装置１４の開板爪２０は先端部が立ち上がり、押し爪２４は先端部が倒伏する。
弁３６を閉として圧力発生装置３７を始動させる。ここで圧力発生装置３７は、ノズル３４から噴射できるだけの圧力を発生できればよく、水道管の蛇口を開にした際に発生する圧力でも充分である。本実施例では可撓管を水道管の吐出口に連結してあり、圧力発生装置３７について、特別な電力を必要としない。
【００１６】
Ａ．締付シリンダー６はムーバブルヘッド５をリアーフレーム２側に移動させる。所定の位置まで移動すると、検知装置ＬＰ１が作動して制御装置４２に検知信号を送信し、締付シリンダー６を停止させる。検知装置ＬＰ１は位置検知、負荷検知等の周知の検知方法を採用できる。
【００１７】
Ｂ．制御装置４２から信号を発信し、ブレーキ付可逆モーター１２により牽引チェーンを回動させて、開板装置１４を配設しているキャリア１１をフロントフレーム１側に移動する。
開板装置１４の押し爪２４は案内板３９から離間し、スプリング２９の張力により先端部が立ち上がった状態で移動し、１枚目のろ板アーム１３に当接する。開板爪２０は１枚目のろ板アーム１３の下方を通過し、通過後はスプリング２３の張力により先端部が立ち上がり、開板爪２０と押し爪２４によりろ板アーム１３を挟持する。
位置検知装置ＬＰ２が作動して制御装置４２に検知信号を送信する。制御装置４２からブレーキ付可逆モーター１２に停止信号を送信し、キャリア１１を係止させる。検知装置ＬＰ２は位置検知、負荷検知等の周知の検知方法を採用できる。
【００１８】
Ｃ．制御装置４２から信号を送信し、弁３６を開にする。ノズル３４から潤滑水をサイドレール３の摺動部材４０ｂに噴射する。ろ板４のリアーフレーム２側の摺動部材４０ｂに噴射することで、１枚目のろ板４の開板工程の際に摩擦抵抗を軽減できる。
【００１９】
Ｄ．Ｃと同時に、制御装置４２からブレーキ付可逆モーター１２を逆回転させる信号を送信する。牽引チェーンにより開板装置１４を配設しているキャリア１１をリアーフレーム２側に移動する。１枚目のろ板４は開板装置１４の開板爪２０によりリアーフレーム２側に移送される。
【００２０】
Ｅ．１枚目のろ板４をムーバブルヘッド５に当接するまで移動させ、当接を検知すると検知装置ＬＰ２が作動して制御装置４２に検知信号を送信する。制御装置４２からブレーキ付可逆モーター１２に停止信号を送信し、ブレーキ付可逆モーター１２はブレーキが働きキャリア１１を固定する。
このとき押し爪２４は案内板３９に摺接し、先端部が倒伏する。
【００２１】
Ｆ．Ｅと同時に、弁３６を閉にする信号を送信し、潤滑水の噴射を停止する。
【００２２】
Ｇ．ケーキ排出及び洗浄を行う。
【００２３】
Ｈ．上記Ｂ〜Ｇを繰返し行い、最終ろ板４まで達すると開板爪２０をフロントフレーム１側の案内板３８に摺接させて開板爪２０の先端部を倒伏させ、ブレーキ付可逆モーター１２でキヤリア１１をろ板４の開板開始位置まで移動させる。
２枚目以降のろ板開板時には、押し爪２４はリアーフレーム側に移動させているろ板アーム１３に摺接して先端部が倒伏する。
【００２４】
Ｉ．リアーフレーム２側に配設した案内板３９に摺接させて開板爪２０の先端部を元の状態に復帰させてろ板の開板工程を終了する。
【００２５】
Ｊ．締付シリンダー６でムーバブルヘッド５をフロントフレーム１側に移動させ、ろ板４…を締め付け、スラリーを圧入して固液分離を行う。
Ｉ．Ａに戻る。
【産業上の利用可能性】
【００２６】
本発明に係るフィルタープレスにおけるろ板の潤滑方法並びに潤滑装置は、移動するろ板の速度に合わせて水を噴射するので、適量の潤滑水を供給することができる。装置の外部にオイルやグリース等の油脂を使用していないので、上水・工水スラッジだけでなく、精密機器の生産設備や食品関係の工場内での排水処理にも適する順次開板型のフィルタープレスとなるものである。
【符号の説明】
【００２７】
３  サイドレール
４  ろ板
９  牽引チェーン
１１  キャリア
１２  ブレーキ付可逆モーター
１４  開板装置
２０  開板爪
２４  押し爪
３４  ノズル
４０ａ、４０ｂ  摺動部材
４２  制御装置
ＬＰ１、ＬＰ２  検知装置
【図１】
2012130846.tif 000003
【図２】
2012130846.tif 000004
【図３】
2012130846.tif 000005
【図４】
2012130846.tif 000006
【図５】
2012130846.tif 000007
【図６】
2012130846.tif 000008